(57)【要約】【課題】棹部に改造を加えることなく、調弦の操作性を向上させることができる三線を提供する。【解決手段】糸巻き部２０が一対の挿通孔１７Ａ，１７Ｂに挿通され、係合テーパ面部２５が一対の挿通孔１７Ａ，１７Ｂの一方の内周面に係合し、且つロッド部２１の先端部が側枠部１６の外側に露出した状態で、その露出したロッド部２１の先端部には側枠部１６の外面を押圧するための押圧部材３０が配設される。また、側枠部１６の外面と押圧部材３０との間には、側枠部１６と押圧部材３０とを離間させる方向に付勢する付勢部材３２（円錐形のコイルばね）が介装され、押圧部材３０は、付勢部材３２を介して側枠部１６の外面を押圧する。【選択図】図５
0003228473.tif 000002
【実用新案登録請求の範囲】
【請求項１】
長尺状の棹部と、
前記棹部の先端部に形成され、幅方向中央部に配置される窓孔と、
前記窓孔の幅方向両側に配置される一対の側枠部と、
棒状に形成され、先端部に配置されるロッド部と、基端部に配置される摘まみ部と、前記ロッド部と前記摘まみ部との間に配置され、テーパ状に形成されて先端部に向かって縮径する係合テーパ面部と、を有する糸巻き部と、
前記一対の側枠部の両方に渡って形成され、互いに同心状に配置される一対の挿通孔と、含み、
前記一対の挿通孔の一方は、テーパ状に形成されて前記係合テーパ面部に対応して前記棹部の幅方向内側に向かって縮径し、
前記糸巻き部が前記一対の挿通孔に挿通され、前記係合テーパ面部が前記一対の挿通孔の一方の内周面に係合し、且つ前記ロッド部の先端部が前記側枠部の外側に露出した状態で、その露出した前記ロッド部の先端部には前記側枠部の外面を押圧するための押圧部材が配設される、
三線。
【請求項２】
前記糸巻き部の前記ロッド部の先端部には螺合溝が形成され、
前記押圧部材には、前記螺合溝に螺合される螺合孔が形成される、
請求項１に記載の三線。
【請求項３】
前記側枠部の外面と前記押圧部材との間には、前記側枠部と前記押圧部材とを離間させる方向に付勢する付勢部材が介装され、
前記押圧部材は、前記付勢部材を介して前記側枠部の外面を押圧する、
請求項１又は２に記載の三線。
【考案の詳細な説明】
【技術分野】
【０００１】
本考案は、棹部に改造を加えることなく、調弦の操作性を向上させることができる三線に関する。
【背景技術】
【０００２】
沖縄の民謡楽器である三線は、その胴部の胴枠の表及び／又は裏の開口部に一般的にヘビ皮を展着されて設けており、胴部と、棹部と、胴部及び棹部に亘って張設される三本の弦と、を有して構成される。
【０００３】
この種の三線では、弦の張力の調整（調弦）は棒状の糸巻き部を用いて行われる。糸巻き部は棹部の先端部に形成される挿通孔に挿嵌されており、その挿通孔の内周面と糸巻き部の外周面との間に摩擦抵抗が発生することで糸巻き部の回動が固定される。そのため、調弦は、糸巻き部を、弦を引き込むようにその周方向に回動させて弦の張力を増加させて、適切な張力の状態で糸巻き部を挿入孔に強く押し込んで挿嵌することで固定して行われる。すなわち、調弦は、その糸巻き部の挿通孔に対する挿嵌（嵌合）具合を演奏者が絶妙に調整することで、適宜回動させたり固定させたりすることで行われる。
【０００４】
また、演奏者は、実際に弦を弾（ひ）いてその音色を確認しながら糸巻き部を回動したり固定したりして良い弦の張力具合を判断して調弦する。熟練した演奏者になるとその糸巻き部の操作と弦の弾く動作が同時に行われる。調弦はその複数の動作を連続又は同時に行う必要があり演奏者にその熟練度が要求され、初心者の演奏者にとって非常に難易度の高い動作である。そのため、初心者が三線をはじめようとする際、その調弦の難易度の高さから三線を途中で断念することが多い。
【０００５】
そこで、調弦を容易にしようとする従来技術としては、棹部に押圧部材が設けられ、その押圧部材は挿入孔に挿嵌される糸巻き部をその軸方向に対して垂直方向により押圧することで糸巻き部の回動を固定するものが知られる。この押圧部材は、先端がわずかに突出するように金属球が収納固定される筒体と、この筒体を糸巻き部の側面に押圧させる押圧力を調整するための調整ねじと、この調整ねじの支持部材と、を有する。
【先行技術文献】
【特許文献】
【０００６】
【特許文献１】特開２０１１−１７７４１号公報
【考案の概要】
【考案が解決しようとする課題】
【０００７】
ところで、棹部はカキノキ科カキノキ属などの他、例えば紅木、紫檀、花林又は黒檀などの木材から棒状に延びて形成される。棹部は、その基端部が三線の胴部の内部に挿嵌されており、その基端部の一部が胴部から外部に露出した状態で胴部に着脱自在に固定支持される。嗜好性の高い演奏者の場合、その棹部の素材を高級木材にするなどして自身の三線の見栄えをよくしたりする。一般的に棹部に所定の部材を付加することは好ましく捉えられない。その一方、糸巻き部は棹部と比較して消耗品としての位置付けられることが多く、改造されたり他部材が追加されたりすることは許容される傾向にある。
【０００８】
特許文献１の三線では、棹部に孔加工を加えて押圧部材を付加するものであり、棹部の見栄え（美感性又は外観性など）を悪くして棹部の価値を損なわせていた。また、特許文献１の押圧部材は棹部と糸巻き部との間の摩擦力を高めることができるが、その摩擦力を単に高めるだけでありその摩擦力を微調整することが不可能である。特許文献１の三線では、演奏者が糸巻き部を適宜回動させたり固定したりして調弦する際、糸巻き部の回動操作に過大な力を要し且つ適度な回動位置で糸巻き部を固定しようにも困難であり、調弦の操作性の点で改善の余地があった。
【０００９】
本考案は、上述した課題に鑑みてなされたものであり、その目的は、棹部に改造を加えることなく、調弦の操作性を向上させることができる三線を提供することにある。
【課題を解決するための手段】
【００１０】
本考案の上述した目的は、下記の構成により達成される。
（１）長尺状の棹部と、前記棹部の先端部に形成され、幅方向中央部に配置される窓孔と、前記窓孔の幅方向両側に配置される一対の側枠部と、棒状に形成され、先端部に配置されるロッド部と、基端部に配置される摘まみ部と、前記ロッド部と前記摘まみ部との間に配置され、テーパ状に形成されて先端部に向かって縮径する係合テーパ面部と、を有する糸巻き部と、前記一対の側枠部の両方に渡って形成され、互いに同心状に配置される一対の挿通孔と、含み、前記一対の挿通孔の一方は、テーパ状に形成されて前記係合テーパ面部に対応して前記棹部の幅方向内側に向かって縮径し、前記糸巻き部が前記一対の挿通孔に挿通され、前記係合テーパ面部が前記一対の挿通孔の一方の内周面に係合し、且つ前記ロッド部の先端部が前記側枠部の外側に露出した状態で、その露出した前記ロッド部の先端部には前記側枠部の外面を押圧するための押圧部材が配設される、三線。
（２）前記糸巻き部の前記ロッド部の先端部には螺合溝が形成され、前記押圧部材には、前記螺合溝に螺合される螺合孔が形成される、（１）に記載の三線。
（３）前記側枠部の外面と前記押圧部材との間には、前記側枠部と前記押圧部材とを離間させる方向に付勢する付勢部材が介装され、前記押圧部材は、前記付勢部材を介して前記側枠部の外面を押圧する、（１）又は（２）に記載の三線。
【００１１】
上記（１）の構成によれば、糸巻き部が一対の挿通孔に挿通され、係合テーパ面部が一対の挿通孔の一方の内周面に係合し、且つロッド部の先端部が側枠部の外側に露出した状態で、その露出したロッド部の先端部には側枠部の外面を押圧するための押圧部材（一例として付勢部材（例えば、円錐形押しばねなど）と共に用いられるとよい。）が配設される。
このため、糸巻き部に設けられる押圧部材のロッド部での軸方向位置を任意に調整することで側枠部の外面に対する押圧力を任意に設定することができる。これにより、その押圧力の反力として糸巻き部を棹部の内側に引き込む力を発生させて、糸巻き部の係合テーパ面部と挿通孔のテーパ状の内周面との間の摩擦力を任意に調整することができる。その結果、糸巻き部の回動方向での抵抗力をその演奏者の好みに合わせて任意且つ連続的に設定することができる。また、例えば調弦完了後、押圧部材のロッド部での軸方向位置を内側に移動させて側枠部の外面との押圧力を高めることで糸巻き部を棹部に強固に固定して、弦の張力を維持して弦が緩むのを防止することができる。このように、棹部に改造を加えることなく、調弦の操作性を向上させることができる三線を提供することができる。
上記（２）の構成によれば、糸巻き部のロッド部の先端部には螺合溝が形成され、押圧部材には、螺合溝に螺合される螺合孔が形成される。このため、ねじを回すように押圧部材のロッド部での軸方向位置を容易且つ確実に微調整するので、調弦の操作性をより向上させることができる。
上記（３）の構成によれば、側枠部の外面と押圧部材との間には、側枠部と押圧部材とを離間させる方向に付勢する付勢部材が介装され、押圧部材は、付勢部材を介して側枠部の外面を押圧する。このため、押圧部材と側枠部の外面との間の押圧力を容易且つ自由に大きくしたり小さくしたり設定することができるので、糸巻き部を棹部により強固に固定したり、より容易に微調整したりして調弦の操作性をより一層向上させることができる。
【考案の効果】
【００１２】
本考案によれば、棹部に改造を加えることなく、調弦の操作性を向上させることができる。
【００１３】
以上、本考案について簡潔に説明した。更に、以下に説明される考案を実施するための形態（以下「実施形態」という。）を添付の図面を参照して通読することにより、本考案の詳細は更に明確化されるだろう。
【図面の簡単な説明】
【００１４】
【図１】図１は、本考案に係る実施形態の三線を説明する斜視図である。
【図２】図２は、糸巻き部の構成を説明する断面図である。
【図３】図３は、図１及び図２に示す棹部及び糸巻き部の係合構造を説明する正面図である。
【図４】図４は、棹部に糸巻き部が取り付けられる様子を説明する正面図である。
【図５】図５は、棹部に糸巻き部が取り付けられた状態を説明する正面図である。
【考案を実施するための形態】
【００１５】
以下、図面に基づいて、本考案に係る三線の実施形態について詳細に説明する。
なお、沖縄の民謡楽器である三線は、東北地方も含め広く知られる「三味線」の楽器の種類に含まれるものとして以下説明する。
【００１６】
＜三線の全体構成＞
まず図１を参照しながら、本実施形態に係る三線１０の全体構成について説明する。図１は、本実施形態の三線１０を説明する斜視図である。
【００１７】
図１及び図２に示すように、本実施形態に係る三線１０は、沖縄民謡の弦１８楽器として広く知られている。この沖縄の三線１０は、胴部１１と、棹部１４と、胴部１１及び棹部１４に亘って張設される弦１８と、三線用ピック（不図示）と、を有して構成される。
【００１８】
胴部１１は、略矩形環状に形成され、その内部に空洞を有する木製の胴枠１２と、胴枠１２の空洞の両開口（不図示）を塞ぐ一対の振動膜体１３，１３を含んで構成される。すなわち、胴枠１２の空洞は、表裏一対の振動膜体１３，１３により閉塞され気密状態となり、胴部１１は三線１０の共鳴空間として機能する。振動膜体１３は、例えば合成樹脂製や布製などのシート部材又は蛇皮から形成される。
【００１９】
なお、本実施形態では、胴枠１２の空洞の両開口に一対の振動膜体１３，１３を設けるがこれに限定されない。その両開口の一方（例えば胴部１１の表側）のみでもよい。また裏面は本実施形態の振動膜体１３を設けず、その代わりにヘビの本皮を張り付けて設けてもよい。また、本実施形態では、胴枠１２の横寸法は１９０ｍｍ、縦寸法は２００ｍｍ、高さ寸法は８０ｍｍに設定される。また、その肉厚寸法は２０ｍｍに設定される。
【００２０】
棹部１４は、カキノキ科カキノキ属などの他、例えば紅木、紫檀、花林又は黒檀などの木材から長尺状（棒状）に延在して設けられる。棹部１４は、その基端部が胴部１１の内部に挿嵌されており、その基端部の一部が胴部１１から外部に露出した状態で胴部１１に対し着脱自在に固定支持される。
【００２１】
そして、棹部１４の先端部には、糸巻き部２０（沖縄では方言で「カラクイ」と呼ばれる。）が設けられる（図２及び図３参照）。糸巻き部２０は本実施形態では、３つの糸巻き部２０が左右交互にその幅方向に沿って配置される。糸巻き部２０には弦１８が巻回される。弦１８は、例えばポリアミド系合成繊維、フッ素樹脂などの合成樹脂繊維の他、絹などからなり、胴部１１と棹部１４とに亘って張設され固定される。
【００２２】
＜糸巻き部の構成について＞
次に図２を参照しながら、糸巻き部２０の構成について説明する。図２は、糸巻き部２０の構成を説明する断面図である。
【００２３】
糸巻き部２０は、全体的に長細い円錐状（棒状）に形成されており、先端部に配置されるロッド部２１と、基板部に配置される摘まみ部２４と、を含んで構成される。また、糸巻き部２０は、摘まみ部２４との間に配置され、テーパ状に形成されて先端部に向かって縮径する係合テーパ面部２５と、を更に含んで構成される。摘まみ部２４は係合テーパ面部２５よりも全体的に大径に形成され、係合テーパ面部２５はロッド部２１よりも全体的に大径に形成される。
【００２４】
係合テーパ面部２５と摘まみ部２４との間には、段部２６が配設される。摘まみ部２４、段部２６及び係合テーパ面部２５は棹部１４と同様に木材から設けられ、またこれら部分は一体に形成される（以下、当該部分を糸巻き本体部２０Ａともいう。）。摘まみ部２４はその径方向断面視で多角形に形成されて複数の角部を有して演奏者が指で把持して回動し易く設けられる。
【００２５】
ロッド部２１は、糸巻き本体部２０Ａとは別部材からなり、本実施形態ではアルミニウム又は真鍮（しんちゅう）などの金属材からストレート棒状に設けられる。糸巻き本体部２０Ａの先端面にはその軸方向に沿う固定孔２７が形成され、ロッド部２１はその基端部で固定孔２７に挿嵌されて固定支持される。また、糸巻き本体部２０Ａにロッド部２１が組み付けられる際、その組み付け状態で、係合テーパ面部２５の、段部２６寄り部分にドリルなどの工具が当接される。そして、その工具によってロッド部２１と共にその径方向で貫通加工されて固定ピン孔２８が形成される。この固定ピン孔２８に金属製のピン（不図示）が挿嵌され、このピンの挿嵌により糸巻き本体部２０Ａとロッド部２１との相対的な回動が防止され強固な固定が実現される。
なお、本実施形態では、ロッド部２１の直径は３ｍｍ程度に設定される。また、ロッド部２１がその基端部で固定孔２７に挿嵌される際、又は固定ピン孔２８にピンが挿嵌される際など、接着剤がその表面に塗布されてもよい。この場合、ロッド部２１又はピンはより強固に固定支持される。また、金属製のピンの直径は１ｍｍ程度に設定される。
【００２６】
ロッド部２１の中間部分には、弦１８の端部を取り付けるための支持ピン孔２２が形成される。支持ピン孔２２に弦１８の端部が挿通された状態で、糸巻き部２０の摘まみ部２４が演奏者に回動操作される。この回動操作により、糸巻き部２０に弦１８それぞれが巻き取られたり繰り出したりされて調弦が行われる。また、本実施形態では、糸巻き部２０のロッド部２１の先端部には螺合溝２３が形成される。この螺合溝２３には押圧部材３０（下述）が取り付けられる。
なお、本実施形態では支持ピン孔２２の直径は１ｍｍ程度に設定される。また、螺合溝２３の長さは１０ｍｍ程度であり、またねじ径はＭ３程度に設定される。
【００２７】
＜棹部及び糸巻き部の係合構造及びその取り付けについて＞
次に図３〜図５を参照しながら、棹部１４及び糸巻き部２０の係合構造及びその取り付けについて説明する。図３は、図１及び図２に示す棹部１４及び糸巻き部２０の係合構造を説明する正面図である。図４は、棹部１４に糸巻き部２０が取り付けられる様子を説明する正面図である。図５は、棹部１４に糸巻き部２０が取り付けられた状態を説明する正面図である。
なお、図４及び図５では図示の便宜上、複数（本実施形態では３つ）対の挿通孔１７Ａ，１７Ｂのうち１対のみ図示されおり、それ以外の対の図示は省略されている。
【００２８】
図３〜図５に示すように、棹部１４の先端部には、軸方向中央部に配置される１つの窓孔１５が形成される。窓孔１５は、棹部１４の厚さ方向に貫通して形成される。この窓孔１５の幅方向両側には一対の側枠部１６（左右一対の対向壁部）が配置される。そして、幅方向で一対の挿通孔１７Ａ，１７Ｂが一対の側枠部１６の両方に渡って形成され、互いに同心状に配置される。本実施形態では、その幅方向で一対の挿通孔１７Ａ，１７Ｂは、棹部１４の長手方向に沿って複数（本実施形態では３つ）対にして並んで配置される。
【００２９】
例えば、その３つのうち長手方向中間に配置される幅方向一対の挿通孔１７Ａ，１７Ｂでは、一対の挿通孔１７Ａ，１７Ｂの左側（一方）１７Ａはテーパ状に形成されて係合テーパ面部２５に対応して棹部１４の幅方向内側に向かって縮径して形成される。一対の挿通孔１７Ａ，１７Ｂの右側（他方）１７Ｂは、左側の挿通孔１７Ａと同様な傾斜角で幅方向外側に向かって縮径して形成される（図４及び図５参照）。また、全体的に左側の挿通孔１７Ａは右側の挿通孔１７Ｂよりも大径に形成される。
なお、本実施形態では、右側の挿通孔１７Ｂも左側の挿通孔１７Ａと同様にテーパ状に形成されるがこれに限定されない。下述するように糸巻き部２０のロッド部２１が挿通可能であればキリ孔（ストレート状の孔）など種々の形状を適宜採用することが可能である。
【００３０】
また、図３に示すように、３つのうち長手方向先端側及び長手方向基端側に配置される軸方向一対の挿通孔１７Ａ，１７Ｂそれぞれでは、右側の挿通孔１７Ａが係合テーパ面部２５に対応してテーパ状に形成され、その左側の挿通孔１７Ｂよりも大径に形成される。そのため、長手方向中間の軸方向一対の挿通孔１７Ａ，１７Ｂでは糸巻き部２０がその左側から右側に向けて挿入されて組み付けられる。その一方、長手方向先端側及び長手方向基端側の軸方向一対の挿通孔１７Ａ，１７Ｂそれぞれでは、糸巻き部２０がその右側から左側に向けて挿入されて組み付けられる。そのため、３つの糸巻き部２０は棹部１４の長手方向で左右交互に配設されることになる。
【００３１】
図４及び図５に示すように、幅方向一対の挿通孔１７Ａ，１７Ｂに対し糸巻き部２０を取り付ける際、糸巻き部２０がその一対の挿通孔１７Ａ，１７Ｂに挿通される。そして、係合テーパ面部２５が一対の挿通孔１７Ａ，１７Ｂの一方の内周面に係合し、ロッド部２１が一対の挿通孔１７Ａ，１７Ｂの他方を通過する。このとき、係合テーパ面部２５と一対の挿通孔１７Ａ，１７Ｂの一方の内周面との係合により、その係合面で摩擦抵抗（摩擦力）が発生して糸巻き部２０の回動が抑制される。また、ロッド部２１が一対の挿通孔１７Ａ，１７Ｂの他方を通過してロッド部２１の先端部が側枠部１６の外側に露出した状態で、その露出したロッド部２１の先端部には側枠部１６の外面を押圧するための押圧部材３０が取り付けられる（配設される）。
なお、本実施形態では、下述するように、押圧部材３０は、側枠部１６の外面と押圧部材３０との間に配設される付勢部材３２（円錐形の押しばね）の反力により側枠部１６の外面を押圧し、その結果、糸巻き部２０の係合テーパ面部２５と挿通孔１７Ａのテーパ状の内周面との間の摩擦力を増大させることが可能となる。
【００３２】
本実施形態の押圧部材３０は、袋ナットであり、糸巻き部２０のロッド部２１の螺合溝２３に螺合されるための螺合孔３１が形成される。押圧部材３０は、糸巻き部２０のロッド部２１の先端部が押圧部材３０の先端面から突出しないように押圧部材３０の座面とは反対側がドーム状に形成されてロッド部２１の先端を囲い込むように設けられる。押圧部材３０は、その螺合孔３１で螺合溝２３に螺合固定されて取り付けられる。
なお、押圧部材３０の螺合孔３１のねじ径はロッド部２１の螺合溝２３に対応してＭ３程度で設定される。
【００３３】
また、側枠部１６の外面と押圧部材３０との間には、側枠部１６と押圧部材３０とを離間させる方向に付勢する付勢部材３２が介装される。付勢部材３２は、円錐形のコイルばね（押しばね）であり、押圧部材３０がロッド部２１の先端部に取り付けられる前にその内径部分でロッド部２１に挿通されて取り付けられる。また、付勢部材３２は、ロッド部２１に挿通される際、一対のワッシャー３３，３３によって挟持される。押圧部材３０は、付勢部材３２を介して側枠部１６の外側（外面）を押圧する。
なお、付勢部材３２は、その小径部分が押圧部材３０側を向くように配置される。また、付勢部材３２の外径は、その小径側で直径３ｍｍ程度、その大径側で直径８ｍｍ程度に設定される。また、ワッシャー３３の厚さは０．５ｍｍ程度に設定される。或いは、付勢部材３２（円錐形のコイルばね）の線径は０．５ｍｍであり、そして外径はその小径側で直径４．０ｍｍ程度、その大径側で直径１０．０ｍｍ程度、更に自由長さ１５．０ｍｍに設定されてもよい。また、この場合の圧力（弾性率）は、０．２４５Ｎ／ｍｍ程度に設定されるとよい。
【００３４】
＜本実施形態に係る三線の利点について＞
以上説明したように本実施形態によれば、糸巻き部２０が一対の挿通孔１７Ａ，１７Ｂに挿通され、係合テーパ面部２５が一対の挿通孔１７Ａ，１７Ｂの一方の内周面に係合し、且つロッド部２１の先端部が側枠部１６の外側に露出した状態で、その露出したロッド部２１の先端部には側枠部１６の外面を押圧するための押圧部材３０が配設される。
なお、このとき、押圧部材３０は側枠部１６の外面と押圧部材３０との間に配設される付勢部材３２（円錐形の押しばね）の反力により側枠部１６の外面を押圧可能に構成されるとよい。
【００３５】
このため、糸巻き部２０に設けられる押圧部材３０のロッド部２１での軸方向位置を任意に調整することで側枠部１６の外面に対する押圧力を任意に設定することができる。これにより、その押圧力の反力として糸巻き部２０を棹部１４の内側に引き込む力を発生させて、糸巻き部２０の係合テーパ面部２５と挿通孔１７Ａのテーパ状の内周面との間の摩擦力を任意に調整することができる。その結果、糸巻き部２０の回動方向での抵抗力をその演奏者の好みに合わせて任意且つ連続的に設定することができる。また、例えば調弦完了後、押圧部材３０のロッド部２１での軸方向位置を内側に移動させて側枠部１６の外面との押圧力を高めることで糸巻き部２０を棹部１４に強固に固定して、弦１８の張力を維持して弦１８が緩むのを防止することができる。このように、棹部１４に改造を加えることなく、調弦の操作性を向上させることができる三線１０を提供することができる。
【００３６】
また本実施形態によれば、糸巻き部２０のロッド部２１の先端部には螺合溝２３が形成され、押圧部材３０には、螺合溝２３に螺合される螺合孔３１が形成される。このため、ねじを回すように押圧部材３０のロッド部２１での軸方向位置を容易且つ確実に微調整するので、調弦の操作性をより向上させることができる。
【００３７】
また本実施形態によれば、側枠部１６の外面と押圧部材３０との間には、側枠部１６と押圧部材３０とを離間させる方向に付勢する付勢部材３２が介装され、押圧部材３０は、付勢部材３２を介して側枠部１６の外面を押圧する。このため、押圧部材３０と側枠部１６の外面との間の押圧力を容易且つ自由に大きくしたり小さくしたり設定することができるので、糸巻き部２０を棹部１４により強固に固定したり、より容易に微調整したりして調弦の操作性をより一層向上させることができる。
【００３８】
以上で具体的実施形態の説明を終えるが、本考案の態様は上記実施形態に限定されるものではなく、適宜、変形、改良などが可能である。
例えば、上記実施形態では、付勢部材（３２）として円錐形のコイル押しばね（コイルばね）を挙げて説明したがこれに限定されない。板バネなどの弾性部材の他、軟部材のクッション材なども適宜適用することが可能である。また、これら弾性部材又はクッション材などを押圧部材（３０）と一体に設けてもよい。
また、押圧部材（３０）として袋ナットを挙げて説明したがこれに限定されない。通常の螺合孔が貫通したナットでもよく、また金属製のナットに限らず合成樹脂製又はクッション材そのものより構成されてもよい。
【符号の説明】
【００３９】
１０      ：三線
１１      ：胴部
１２      ：胴枠
１３      ：振動膜体
１４      ：棹部
１５      ：窓孔
１６      ：側枠部
１７Ａ    ：挿通孔
１７Ｂ    ：挿通孔
１８      ：弦
２０      ：糸巻き部
２０Ａ    ：糸巻き本体部
２１      ：ロッド部
２２      ：支持ピン孔
２３      ：螺合溝
２４      ：摘まみ部
２５      ：係合テーパ面部
２６      ：段部
２７      ：固定孔
２８      ：固定ピン孔
３０      ：押圧部材
３１      ：螺合孔
３２      ：付勢部材
３３      ：ワッシャー
【図１】
0003228473.tif 000003
【図２】
0003228473.tif 000004
【図３】
0003228473.tif 000005
【図４】
0003228473.tif 000006
【図５】
0003228473.tif 000007